(57)【特許請求の範囲】
【請求項１】
発光ダイオードを光源とする照明灯が設けられた街路灯であって、街路をスポット的に照射する複数の照明ユニットを備え、これらの照明ユニットを連結して前記照明灯を構成すると共に、各照明ユニットの照射方向を独立的に変更可能とするにあたり、前記各照明ユニットは、ドラム状のケース体と、該ケース体の外周部に設けられるスポット発光部とを備えてそれぞれ構成され、各スポット発光部が外径方向を向くようにして一直線状に配列した状態で各ケース体の中心部を貫通する通しボルトを締めることを介して串刺し状に連結保持して各照明ユニットの回動が規制され、該通しボルトを緩めることで通しボルトを中心とする各照明ユニットの回動が許容されて各照明ユニットの独立的な照射方向の変更ができるように構成したことを特徴とする街路灯。
【請求項２】
ケース体には両側開口に蓋がそれぞれ設けられ、ケース体を一直線状に配列したときに隣接する蓋同志の中心部には、照明ユニットの中心部同志が嵌合状に連結して互いの芯ズレを規制する通し孔とボス部とが通しボルトが貫通するようにしてそれぞれ形成されていることを特徴とする請求項１記載の街路灯。
【請求項３】
ケース体には両側開口に蓋がそれぞれ設けられ、ケース体を一直線状に配列したときに隣接する蓋同志の接触面部には、互いの係合により相互の回動位置を規定して意図しない照射方向の変化を防止する位置決め係合部を備えることを特徴とする請求項１記載の街路灯。
【請求項４】
位置決め係合部は、周方向に所定間隔を存して並ぶ複数の凹部および該凹部に係合する複数の凸部の組み合わせ、または互いに噛み合う内歯ギア、外歯ギアの組み合わせで形成されていることを特徴とする請求項３記載の街路灯。
【発明の詳細な説明】
【技術分野】
【０００１】
本発明は、発光ダイオードを光源として街路を照らす街路灯に関する。
【背景技術】
【０００２】
発光ダイオードを光源として街路を照らす街路灯が知られている（例えば、特許文献１参照）。この種の街路灯は、例えば、街路に立設される支柱（街路灯本体）に、発光ダイオードを光源とする照明灯と、太陽光を受けて発電する太陽電池と、太陽電池が発電した電気を蓄電する蓄電池と、昼夜を判別して夜間に照明灯を点灯させる制御基板とを備えて構成されている。このような街路灯によれば、外部電源を必要としないため、設置工事が容易であり、また、光源である発光ダイオードは、白熱灯や蛍光灯に比して寿命が長いため、ランニングコストも低減できるという利点を有している。
【特許文献１】特開２００３−５１２０８号公報
【発明の開示】
【発明が解決しようとする課題】
【０００３】
しかしながら、発光ダイオードを光源とする従来の街路灯では、平面上又は曲面上に多数の発光ダイオードを配置し、これらの発光ダイオードを全灯することにより、街路を広範囲に照らすようになっているので、照度分布が一様であり、特定の箇所だけ照射したり、特定の箇所だけ照射範囲から除外するといった照度分布の変更が不可能であった。また、多数の発光ダイオードを全灯すると、消費電力が大きくなるので、大型の太陽電池や大容量の蓄電池が必要になり、コストアップを招来するという問題がある。
【課題を解決するための手段】
【０００４】
本発明は、上記の如き実情に鑑みこれらの課題を解決することを目的として創作されたものであって、請求項１の発明は、発光ダイオードを光源とする照明灯が設けられた街路灯であって、街路をスポット的に照射する複数の照明ユニットを備え、これらの照明ユニットを連結して前記照明灯を構成すると共に、各照明ユニットの照射方向を独立的に変更可能とするにあたり、前記各照明ユニットは、ドラム状のケース体と、該ケース体の外周部に設けられるスポット発光部とを備えてそれぞれ構成され、各スポット発光部が外径方向を向くようにして一直線状に配列した状態で各ケース体の中心部を貫通する通しボルトを締めることを介して串刺し状に連結保持して各照明ユニットの回動が規制され、該通しボルトを緩めることで通しボルトを中心とする各照明ユニットの回動が許容されて各照明ユニットの独立的な照射方向の変更ができるように構成したことを特徴とする街路灯である。例えば、特定の箇所をスポット的に照射すれば、いわゆるライトアップ効果が得られ、また、特定の箇所を照射範囲から除外することにより、光害対策も可能になる。しかも、発光ダイオードの個数を減らすことができるので、消費電力を抑えることができ、その結果、太陽電池の小型化や蓄電池の小容量化を可能とし、大幅なコストダウンが図れる。このようにすると、簡単な構成で各照明ユニットの照射方向を独立的に変更することが可能になる。また、このような連結保持構造によれば、照明ユニットの連結個数を容易に変更できるので、照明ユニットの増減により、照明灯のバリエーションを増やすことができる。
請求項２の発明は、ケース体には両側開口に蓋がそれぞれ設けられ、ケース体を一直線状に配列したときに隣接する蓋同志の中心部には、照明ユニットの中心部同志が嵌合状に連結して互いの芯ズレを規制する通し孔とボス部とが通しボルトが貫通するようにしてそれぞれ形成されていることを特徴とする請求項１記載の街路灯である。
請求項３の発明は、ケース体には両側開口に蓋がそれぞれ設けられ、ケース体を一直線状に配列したときに隣接する蓋同志の接触面部には、互いの係合により相互の回動位置を規定して意図しない照射方向の変化を防止する位置決め係合部を備えることを特徴とする請求項１記載の街路灯である。
請求項４の発明は、位置決め係合部は、周方向に所定間隔を存して並ぶ複数の凹部および該凹部に係合する複数の凸部の組み合わせ、または互いに噛み合う内歯ギア、外歯ギアの組み合わせで形成されていることを特徴とする請求項３記載の街路灯である。
【発明の効果】
【０００５】
以上のような本発明によれば、街路をスポット的に照射することができるだけでなく、各照明ユニットの照射方向を独立的に変更することにより、各設置現場に適した照度分布が得られる。例えば、特定の箇所をスポット的に照射すれば、いわゆるライトアップ効果が得られ、また、特定の箇所を照射範囲から除外することにより、光害対策も可能になる。しかも、発光ダイオードの個数を減らすことができるので、消費電力を抑えることができ、その結果、太陽電池の小型化や蓄電池の小容量化を可能とし、大幅なコストダウンが図れる。
【発明を実施するための最良の形態】
【０００６】
次に、本発明の実施の形態について、図面に基づいて説明する。図１及び図２において、１は本発明の実施形態に係る街路灯であって、該街路灯１は、発光ダイオードを光源として街路を照らすＬＥＤ街路灯であり、街路に立設される支柱（街路灯本体）２に、発光ダイオードを光源とする照明灯３と、太陽光を受けて発電する太陽電池４と、太陽電池４が発電した電気を蓄電する蓄電池（図示せず）と、昼夜を判別して夜間に照明灯３を点灯させる制御基板（図示せず）と、蓄電池及び制御基板を内装する制御盤５とを備えて構成されている。
【０００７】
図３〜図７に示すように、照明灯３は、街路をスポット的に照射する複数の照明ユニット６を備え、これらの照明ユニット６を連結して構成されると共に、各照明ユニット６の照射方向を独立的に変更可能としてある。このようにすると、街路をスポット的に照射することができるだけでなく、各照明ユニット６の照射方向を独立的に変更することにより、各設置現場に適した照度分布が得られる。例えば、特定の箇所をスポット的に照射すれば、いわゆるライトアップ効果が得られ、また、特定の箇所を照射範囲から除外することにより、光害対策も可能になる。しかも、発光ダイオードの個数を減らすことができるので、消費電力を抑えることができ、その結果、太陽電池４の小型化や蓄電池の小容量化を可能とし、大幅なコストダウンが図れる。
【０００８】
照明灯３は、支柱２に対する取付角度が変更可能であることが好ましい。例えば、図２に示すように、支点７を中心として照明灯３の上下取付角度を変更可能にする。このようにすると、照度分布の調整要素が増えるので、照度分布の調整作業が容易になる。
【０００９】
図８及び図９に示すように、本実施形態の照明ユニット６は、ドラム状のケース体８と、該ケース体８の外周部に設けられるスポット発光部９とを備えて構成されると共に、中心部を貫通する通しボルト１０を介して串刺し状に連結保持されているが、図４〜７において明らかなように、前記各照明ユニット６は一直線状に配され、この場合に、前記各スポット発光部９は外径方向を向くように構成されている。しかも前記通しボルト１０を中心とする回動で照射方向が変更されるようになっている。このようにすると、簡単な構成で各照明ユニット６の照射方向を独立的に変更することが可能になる。また、このような連結保持構造によれば、照明ユニット６の連結個数を容易に変更できるので、照明ユニット６の増減により、照明灯３のバリエーションを増やすことができる。
【００１０】
ケース体８は、例えば、アルミ押出形材からなる円筒ケース１１と、アルミ板材からなる円盤状の蓋１２、１３とを備えているが、図８、９から明らかなように円筒ケース１１の両側開口を蓋１２、１３で塞ぐことにより、ドラム状に構成されている。円筒ケース１１の外周部には、スポット発光部９を取付けるための切欠き部１１ａが形成されている。スポット発光部９は、予め取付板１４に一体化され、切欠き部１１ａの溝部１１ｂにスライド状に取付けられる。なお、本実施形態のスポット発光部９は、複数のチップ型発光ダイオードが配列された発光基板をレンズつきのケースに収容し、樹脂でモールドしたものである。
【００１１】
蓋１２、１３の中心部には、通しボルト１０が貫通される通し孔１２ａ、１３ａが形成されている。また、蓋１２は、通し孔１２ａの周縁部に外方に突出するボス部１２ｂを有し、蓋１３の通し孔１３ａは、ボス部１２ｂの外径よりも僅かに大きい内径を有し、ボス部１２ｂの嵌合を許容するようになっている。これにより、隣接する照明ユニット６の中心部同士が嵌合状に連結されるので、互いの芯ズレを規制することができる。
【００１２】
さらに、前述したとおり各照明ユニット６が一直線状に配されていることで、ケース体８も一直線状に配列されることとなるが、照明ユニット６には、隣接する照明ユニット６との係合により、相互の回動位置を規定する位置決め係合部を設けることが好ましい。例えば、図１０に示すように、隣接する照明ユニット６の一方の接触面部には、周方向に所定間隔を存して並ぶ複数の凹部１３ｂを形成する一方、他方の接触面部には、凹部１３ｂに係合する複数の凸部１２ｃを形成する。また、図１１に示すように、隣接する照明ユニット６の一方の接触面部（中央部）には、外歯ギヤ１３ｃを形成する一方、他方の接触面部（中央部）には、外歯ギヤ１３ｃに噛み合う内歯ギヤ１２ｄを形成する。このようにすると、照明ユニット６の意図しない照射方向の変化を防止し、各設置現場に適した照度分布を維持することができる。
【００１３】
次に、街路灯１の照度分布変更方法について説明する。街路灯１の照度分布を変更する場合は、まず、通しボルト１０を緩める。通しボルト１０を緩めると、通しボルト１０を中心とする各照明ユニット６の独立的な回動が許容されるので、好ましい照度分布となるように各照明ユニット６の照射方向を変更する。そして、好ましい照度分布が得られたら、通しボルト１０を締め、各照明ユニット６の回動を規制することにより、照度分布の調整作業が完了する。因みに、照明ユニット６の個数を４個、２番目及び３番目照明ユニット６の左右振分け角度を４５°、照明灯３の上下取付角度を３２°、照明灯３の高さを３ｍとした場合には、図１２に示すように照度分布が得られる。
【００１４】
叙述の如く構成された本実施形態によれば、発光ダイオードを光源とする照明灯３が設けられた街路灯１であって、街路をスポット的に照射する複数の照明ユニット６を備え、これらの照明ユニット６を連結して照明灯３を構成すると共に、各照明ユニット６の照射方向を独立的に変更可能としたので、街路をスポット的に照射することができるだけでなく、各照明ユニット６の照射方向を独立的に変更することにより、各設置現場に適した照度分布が得られる。例えば、特定の箇所をスポット的に照射すれば、いわゆるライトアップ効果が得られ、また、特定の箇所を照射範囲から除外することにより、光害対策も可能になる。しかも、発光ダイオードの個数を減らすことができるので、消費電力を抑えることができ、その結果、太陽電池４の小型化や蓄電池の小容量化を可能とし、大幅なコストダウンが図れる。
【００１５】
また、照明灯３は、街路灯本体に対する取付角度が変更可能であるため、照度分布の調整要素が増え、照度分布の調整作業が容易になる。
【００１６】
また、照明ユニット６は、ドラム状のケース体８と、該ケース体８の外周部に設けられるスポット発光部９とを備えて構成されると共に、中心部を貫通する通しボルト１０を介して串刺し状に連結保持され、該通しボルト１０を中心とする回動で照射方向が変更されるので、簡単な構成で各照明ユニット６の照射方向を独立的に変更することが可能になる。また、このような連結保持構造によれば、照明ユニット６の連結個数を容易に変更できるので、照明ユニット６の増減により、照明灯３のバリエーションを増やすことができる。
【００１７】
また、照明ユニット６は、隣接する照明ユニット６との係合により、相互の回動位置を規定する位置決め係合部を備えるので、照明ユニット６の意図しない照射方向の変化を防止し、各設置現場に適した照度分布を維持することができる。
【図面の簡単な説明】
【００１８】
【図１】街路灯の正面図である。
【図２】街路灯の側面図である。
【図３】照射方向が同一となるように照明ユニットを組み込んだ照明灯の側面図である。
【図４】照射方向が同一となるように照明ユニットを組み込んだ照明灯の下面図である。
【図５】照射方向が同一となるように照明ユニットを組み込んだ照明灯の断面図である。
【図６】照射方向が異なる照明ユニットを組み込んだ照明灯の側面図である。
【図７】照射方向が異なるように照明ユニットを組み込んだ照明灯の下面図である。
【図８】照明ユニットの斜視図である。
【図９】（Ａ）は照明ユニットの正面図、（Ｂ）は側面図、（Ｃ）は下面図、（Ｄ）は断面図である。
【図１０】位置決め係合部の第一実施例を示す説明図である。
【図１１】位置決め係合部の第二実施例を示す説明図である。
【図１２】照度分布の具体例を示す説明図である。
【符号の説明】
【００１９】
１    街路灯
２    支柱
３    照明灯
４    太陽電池
５    制御盤
６    照明ユニット
７    支点
８    ケース体
９    スポット発光部
１０  通しボルト
１１  円筒ケース
１２  蓋
１３  蓋
１４  取付板
【要約】
【課題】街路灯の照度分布を容易に変更できるようにする。
【解決手段】発光ダイオードを光源とする照明灯３が設けられた街路灯１であって、街路をスポット的に照射する複数の照明ユニット６を備え、これらの照明ユニット６を連結して照明灯３を構成すると共に、各照明ユニット６の照射方向を独立的に変更可能とする。例えば、照明ユニット６は、ドラム状のケース体８と、該ケース体８の外周部に設けられるスポット発光部９とを備えて構成されると共に、中心部を貫通する通しボルト１０を介して串刺し状に連結保持され、該通しボルト１０を中心とする回動で照射方向が変更される。
【選択図】図７【図１】
0004176142.tif 000002
【図２】
0004176142.tif 000003
【図３】
0004176142.tif 000004
【図４】
0004176142.tif 000005
【図５】
0004176142.tif 000006
【図６】
0004176142.tif 000007
【図７】
0004176142.tif 000008
【図８】
0004176142.tif 000009
【図９】
0004176142.tif 000010
【図１０】
0004176142.tif 000011
【図１１】
0004176142.tif 000012
【図１２】
0004176142.tif 000013